(57)【要約】【課題】ハンドオーバ後にデュアルコネクティビティを確立する場合に、セカンダリ基地局を適切に選択することを可能にする。【解決手段】基地局１００は、第１の無線アクセス技術に従って端末装置３００との間で通信を行う第１の通信処理部１４１と、基地局１００から他の基地局１０、２０、３０、４０へのハンドオーバの実績に関するハンドオーバ実績情報を取得する取得部１４５と、基地局１００から第２の無線アクセス技術に従った通信を行う基地局２００へ端末装置３００がハンドオーバする場合に、ハンドオーバ実績情報を基地局２００へ送信する第２の通信処理部１４３と、を備える。【選択図】図１
2019161529.tif 000002
【特許請求の範囲】
【請求項１】
第１の基地局であって、
第１の無線アクセス技術に従って端末装置との間で通信を行う第１の通信処理部と、
当該第１の基地局から他の基地局へのハンドオーバの実績に関するハンドオーバ実績情報を取得する取得部と、
当該第１の基地局から第２の無線アクセス技術に従った通信を行う第２の基地局へ端末装置がハンドオーバする場合に、前記ハンドオーバ実績情報を前記第２の基地局へ送信する第２の通信処理部と、
を備える第１の基地局。
【請求項２】
前記ハンドオーバ実績情報は、ハンドオーバ先の基地局毎のハンドオーバの成功率を示す情報を含む請求項１に記載の第１の基地局。
【請求項３】
前記第２の通信処理部は、前記ハンドオーバ実績情報を含むApplication  Protocolのメッセージを前記第２の基地局へ送信する請求項１又は２に記載の第１の基地局。
【請求項４】
前記第２の通信処理部は、前記ハンドオーバ実績情報を含むRAN-INFORMATION  RIM  containerを前記Application  Protocolのメッセージに設定して、該Application  Protocolのメッセージを前記第２の基地局へ送信する請求項３に記載の第１の基地局。
【請求項５】
前記第２の通信処理部は、前記ハンドオーバ実績情報を含むSN  Addition  Container  IEを前記RAN-INFORMATION  RIM  containerに含め、該RAN-INFORMATION  RIM  containerを前記Application  Protocolのメッセージに設定して、該Application  Protocolのメッセージを前記第２の基地局へ送信する請求項４に記載の第１の基地局。
【請求項６】
第２の基地局であって、
第２の無線アクセス技術に従って端末装置との間で通信を行う第１の通信処理部と、
第１の無線アクセス技術に従った通信を行う第１の基地局から他の基地局へのハンドオーバの実績に関するハンドオーバ実績情報を取得する取得部と、
前記ハンドオーバ実績情報に基づいて、前記第１の基地局から当該第２の基地局へのハンドオーバを行う端末装置のための通信処理を行う第２の通信処理部と、を備える第２の基地局。
【請求項７】
前記第２の通信処理部は、前記ハンドオーバ実績情報に基づいて、前記第１の基地局から当該第２の基地局へのハンドオーバを行う端末装置がデュアルコネクティビティにより通信を行うセカンダリ基地局を決定する請求項６記載の第２の基地局。
【請求項８】
前記ハンドオーバ実績情報は、ハンドオーバ先の基地局毎のハンドオーバの成功率を示す情報を含む請求項６又は７に記載の第２の基地局。
【請求項９】
第１の無線アクセス技術に従って端末装置との間で通信を行う第１の基地局から他の基地局へのハンドオーバの実績に関するハンドオーバ実績情報を取得することと、
前記第１の基地局から第２の無線アクセス技術に従った通信を行う第２の基地局へ端末装置がハンドオーバする場合に、前記ハンドオーバ実績情報を前記第２の基地局へ送信することと、を含む方法。
【請求項１０】
第１の無線アクセス技術に従って端末装置との間で通信を行う第１の基地局から他の基地局へのハンドオーバの実績を示すハンドオーバ実績情報を取得することと、
前記ハンドオーバ実績情報に基づいて、前記第１の基地局から第２の無線アクセス技術に従って通信を行う第２の基地局へのハンドオーバを行う端末装置のための通信処理を行うことと、を含む方法。
【発明の詳細な説明】
【技術分野】
【０００１】
本発明は、第１の基地局、第２の基地局、及び方法に関する。
【背景技術】
【０００２】
近年のデータ通信のトラフィックの増加に伴い、ＨｅｔＮｅｔ(Heterogeneous Network)というネットワーク構成が採られる傾向にある。ＨｅｔＮｅｔでは、カバレッジを確保することを目的とするマクロセル内に、キャパシティを確保することを目的としてマクロセルとは異なる無線アクセス技術を用いるスモールセルが複数設置されることがある。
【０００３】
また、スループット向上のためにユーザ装置（User  Equipment：ＵＥ）はデュアルコネクティビティ（dual  connectivity、ＤＣ）を確立することがある。デュアルコネクティビティでは、複数の基地局のキャリアを束ねて（aggregate）通信する。
【０００４】
移動通信網において第５世代（５Ｇ）又は第４世代（４Ｇ）の基地局間でＵＥがハンドオーバ（以下、ＨＯと記す場合もある）した後に、ハンドオーバ先の基地局がＵＥのCapability及びネットワーク（ＮＷ）の状況などを鑑みてSeNB/SgNB  Additionを実行し、デュアルコネクティビティを確立する手順が検討されてきた。具体的には、3GPP  TS37.340  v2.0.0（非特許文献１）の「10.9  eNB/gNB  to  Master  Node  Change」における「Figure  10.9.1-1  eNB  to  Master  Node  change」及び「Figure  10.9.2-1  ng-eNB/gNB  to  MN  change」などに検討結果が記載されている。図１３に上記Figure  10.9.1-1  eNB  to  Master  Node  changeを示し、図１４に上記Figure  10.9.2-1  ng-eNB/gNB  to  MN  changeを示す。
【０００５】
また、特許文献１には、例えば、同じ無線アクセス技術内でのハンドオーバ実行時に、セキュリティコンテキストを削除する方法が開示されている。
【先行技術文献】
【特許文献】
【０００６】
【特許文献１】特表２０１７−５０１６２４号公報
【非特許文献】
【０００７】
【非特許文献１】3GPP  TS37.340  v2.0.0,  “10.9  eNB/gNB  to  Master  Node  Change”,  2017-12
【非特許文献２】3GPP  TS36.413  v14.4.0,  2017-09
【非特許文献３】3GPP  TS23.401  v15.1.0,  “5.15  RAN  Information  Management  (RIM)  procedures”,  2017-09
【非特許文献４】3GPP  TS38.413  v0.5.0,  2017-12
【発明の概要】
【発明が解決しようとする課題】
【０００８】
ＮＧＣＮ（Next  Generation  Core  Network）に接続するｇＮＢと、ＥＰＣ（Evolved  Packet  Core）に接続するｅＮＢを含むシステムを想定する。このシステムにおいて、ｇＮＢと通信中のＵＥがintersystem  handoverを行いｅＮＢにハンドオーバした場合に、ハンドオーバ先のｅＮＢがデュアルコネクティビティを確立する可能性がある。デュアルコネクティビティを確立する場合、適切なＳｅＮＢ／ＳｇＮＢを選べないとデュアルコネクティビティの解放処理、及びSeNB/SgNB  Additionの再実行などが頻発し得る。その結果、ユーザー体感（Quality  of  Experience：ＱｏＥ）が劣化したり、ネットワークの処理負荷が増大したりするおそれがある。
【０００９】
３ＧＰＰでは５Ｇの検討が進んでいるが、５ＧからＬＴＥ（Long  Term  Evolution）のネットワークにintersystem  handoverした後にデュアルコネクティビティを効率的に実行するシナリオの検討は進んでいない。ゆえに、上述の課題に対する解決手段も３ＧＰＰでは検討されていない。
【００１０】
本発明の目的は、ハンドオーバ後にデュアルコネクティビティを確立する場合に、セカンダリ基地局を適切に選択することを可能にする基地局、及び方法を提供することにある。
【課題を解決するための手段】
【００１１】
本発明の第１の基地局は、第１の無線アクセス技術に従って端末装置との間で通信を行う第１の通信処理部と、当該第１の基地局から他の基地局へのハンドオーバの実績に関するハンドオーバ実績情報を取得する取得部と、当該第１の基地局から第２の無線アクセス技術に従った通信を行う第２の基地局へ端末装置がハンドオーバする場合に、前記ハンドオーバ実績情報を前記第２の基地局へ送信する第２の通信処理部と、を備える。
【００１２】
本発明の第２の基地局は、第２の無線アクセス技術に従って端末装置との間で通信を行う第１の通信処理部と、第１の無線アクセス技術に従った通信を行う第１の基地局から他の基地局へのハンドオーバの実績に関するハンドオーバ実績情報を取得する取得部と、前記ハンドオーバ実績情報に基づいて、前記第１の基地局から当該第２の基地局へのハンドオーバを行う端末装置のための通信処理を行う第２の通信処理部と、を備える。
【００１３】
本発明の第１の方法は、第１の無線アクセス技術に従って端末装置との間で通信を行う第１の基地局から他の基地局へのハンドオーバの実績に関するハンドオーバ実績情報を取得することと、前記第１の基地局から第２の無線アクセス技術に従った通信を行う第２の基地局へ端末装置がハンドオーバする場合に、前記ハンドオーバ実績情報を前記第２の基地局へ送信することと、を含む。
【００１４】
本発明の第２の方法は、第１の無線アクセス技術に従って端末装置との間で通信を行う第１の基地局から他の基地局へのハンドオーバの実績を示すハンドオーバ実績情報を取得することと、前記ハンドオーバ実績情報に基づいて、前記第１の基地局から第２の無線アクセス技術に従って通信を行う第２の基地局へのハンドオーバを行う端末装置のための通信処理を行うことと、を含む。
【発明の効果】
【００１５】
本発明によれば、ハンドオーバ後にデュアルコネクティビティを確立する際に、セカンダリ基地局を適切に選択することが可能となる。なお、本発明により、当該効果の代わりに、又は当該効果とともに、他の効果が奏されてもよい。
【図面の簡単な説明】
【００１６】
【図１】図１は、第１の実施形態に係るシステムの概略的な構成の一例を示す説明図である。
【図２】図２は、セルの配置例を示す。
【図３】図３は、第１の実施形態の基地局の概略的な構成の例を示すブロック図である。
【図４】図４は、第１の実施形態の他の基地局の概略的な構成の例を示すブロック図である。
【図５】図５は、第１の実施形態の端末装置の概略的な構成の例を示すブロック図である。
【図６】図６は、ハンドオーバ実績情報の具体例を示す。
【図７】図７は、RAN-INFORMATION  RIM  containerに設定するSN  Addition  Container  IEの説明図である。
【図８】図８は、DIRECT  INFORMATION  TRANSFERの例を示す。
【図９】図９は、第１の実施形態に係る処理の概略的な流れの例を説明するためのシーケンス図である。
【図１０】図１０は、端末装置の移動経路の例を示す。
【図１１】図１１は、第２の実施形態の基地局の概略的な構成の例を示すブロック図である。
【図１２】図１２は、第２の実施形態の他の基地局の概略的な構成の例を示すブロック図である。
【図１３】図１３は、非特許文献１のeNB  to  Master  Node  changeに関する図を示す。
【図１４】図１４は、非特許文献１のng-eNB/gNB  to  MN  changeに関する図を示す。
【発明を実施するための形態】
【００１７】
以下、添付の図面を参照して本発明の実施形態を詳細に説明する。なお、本明細書及び図面において、同様に説明されることが可能な要素については、同一の符号を付することにより重複説明が省略され得る。
【００１８】
説明は、以下の順序で行われる。
１．本発明の実施形態の概要
２．第１の実施形態
２．１．システムの構成
２．２．基地局１００の構成
２．３．基地局２００の構成
２．４．端末装置３００の構成
２．５．技術的特徴
２．６．変形例
３．第２の実施形態
３．１．システムの構成
３．２．基地局５００の構成
３．３．基地局６００の構成
３．４．技術的特徴
４．他の実施形態
【００１９】
＜＜１．本発明の実施形態の概要＞＞
まず、本発明の実施形態の概要を説明する。
【００２０】
（１）技術的課題
ＮＧＣＮ（Next  Generation  Core  Network）に接続するｇＮＢと、ＥＰＣ（Evolved  Packet  Core）に接続するｅＮＢを含むシステムを想定する。このシステムにおいて、ｇＮＢと通信中のＵＥがintersystem  handoverを行いｅＮＢにハンドオーバした場合に、ハンドオーバ先のｅＮＢがデュアルコネクティビティを確立する可能性がある。デュアルコネクティビティを確立する場合、適切なＳｅＮＢ／ＳｇＮＢを選べないとデュアルコネクティビティの解放処理やSeNB/SgNB  Additionの再実行が頻発し得る。その結果、ユーザー体感（ＱｏＥ）が劣化したり、ネットワークの処理負荷が増大するおそれがある。
【００２１】
例えば、ｇＮＢと通信中のＵＥが、ｅＮＢにハンドオーバ（intersystem  handover）することを想定する。この場合、ハンドオーバ先のｅＮＢは、デュアルコネクティビティにおいてＳｅＮＢ（セル）を追加する際に、デュアルコネクティビティの解放処理及びSeNB/SgNB  Additionの再実行などを抑制するような、適切なＳｅＮＢ（セル）を決定する仕組み／手法がなかった。
【００２２】
３ＧＰＰでは第５世代（５Ｇ）の検討が進んでいるが、５ＧからＬＴＥのネットワークにintersystem  handoverした後にデュアルコネクティビティを効率的に実行するシナリオの検討は進んでいない。ゆえに、上述の課題に対する解決手段も３ＧＰＰでは検討されていない。
【００２３】
（２）技術的特徴
本発明の実施形態では、例えば、第１の基地局は、第１の無線アクセス技術に従って端末装置との間で通信を行い、当該第１の基地局から他の基地局へのハンドオーバの実績に関するハンドオーバ実績情報を取得し、当該第１の基地局から第２の無線アクセス技術に従った通信を行う第２の基地局へ端末装置がハンドオーバする場合に、上記ハンドオーバ実績情報を上記第２の基地局へ送信する。
【００２４】
また、本発明の実施形態では、例えば、上記第２の基地局は、上記ハンドオーバ実績情報を取得し、上記ハンドオーバ実績情報に基づいて、上記第１の基地局から当該第２の基地局へのハンドオーバを行う端末装置のための通信処理を行う。
【００２５】
これにより、例えば、ハンドオーバ後にデュアルコネクティビティを確立する際に、セカンダリ基地局を適切に選択することが可能となる。
【００２６】
なお、上述した技術的特徴は本発明の実施形態の具体的な一例であり、当然ながら、本発明の実施形態は上述した技術的特徴に限定されない。
【００２７】
＜＜２．第１の実施形態＞＞
続いて、図１〜図１０を参照して、本発明の第１の実施形態を説明する。
【００２８】
＜２．１．システムの構成＞
図１を参照して、第１の実施形態に係るシステム１の構成の例を説明する。図１は、第１の実施形態に係るシステム１の概略的な構成の一例を示す説明図である。システム１は、例えば、基地局１００、基地局２００、基地局１０〜４０及び端末装置３００を含む。本実施形態では、基地局１００はｇＮＢ（generation  Node  B）であり、基地局２００はＭｅＮＢ（Master  Node  B）であり、基地局１０〜４０はそれぞれＳｅＮＢ（Secondary  eNB）として説明するが、これらに限定されるものではない。これら以外の例についても後述する。
【００２９】
システム１は、例えば、ＮＧＣＮ４００及びＥＰＣ４５０をさらに含む。基地局１００は、ＮＧＣＮ４００に接続する。また、基地局１００はセル１００−１を構成する。基地局２００は、ＥＰＣ４５０に接続する。基地局２００はセル２００−１を構成する。基地局２００は、基地局１０〜４０とそれぞれＸ２インタフェースで接続される。基地局１０、２０、３０、４０はそれぞれ、セル１０−１、セル２０−１、セル３０−１、セル４０−１を構成している。また、ＮＧＣＮ４００とＥＰＣ４５０は、Ｎ２６インタフェースで接続されている。
【００３０】
上述のように、基地局はそれぞれセルを構成している。図１はセルを模式的に示しており、実際には基地局はセルの内部に位置し、各セルはオーバーラップしている。
【００３１】
図２に、セルの配置例を示す。本実施の形態では、セル１００−１、セル２００−１、セル１０−１、セル２０−１、セル３０−１、セル４０−１の配置は図２に示す通りであるとするが、これに限定するものではない。セル２００−１は、例えば、端末装置（例えば端末装置３００）のためのカバレッジを確保することを目的としている。セル１００−１、セル１０−１、セル２０−１、セル３０−１、セル４０−１は、例えば、端末装置（例えば端末装置３００）のためのキャパシティを確保することを目的としている。そのため、このような階層型のセル構成となっている。
【００３２】
ＮＧＣＮ４００は、３ＧＰＰでは5G  Core  Network（以下、５ＧＣ）と称される。５ＧＣは、例えば、Access  Management  Function（ＡＭＦ）、Session  Management  Function（ＳＭＦ）、及び、U-plane  function  node（ＵＰＦ）を含む。
【００３３】
ＥＰＣ４５０は、例えば、Mobility  Management  Entity（ＭＭＥ）、Serving  Gateway（Ｓ−ＧＷ）、及び、Packet  Delivery  Network  Gateway（Ｐ−ＧＷ）を含む。
【００３４】
本実施の形態の例では、説明を容易にするためにＥＰＣ４５０に接続する基地局を全てｅＮＢとしたが、これらの一部又は全部がｇＮＢであってもよい。
【００３５】
（１）基地局１００
基地局１００は、例えば、第５世代（５Ｇ）／ＮＲ（New  Radio）の規格／仕様（第１の無線アクセス技術）に準拠したｇＮＢである。基地局１００は、セル１００−１内に位置する端末装置（例えば、端末装置３００）との無線通信を行う。
【００３６】
基地局１００は、複数のユニット（又は複数のノード）を含んでもよい。当該複数のユニット（又は複数のノード）は、上位のプロトコルレイヤの処理を行う第１ユニット（又は第１ノード）と、下位のプロトコルレイヤの処理を行う第２ユニット（又は第２ノード）とを含んでもよい。一例として、上記第１ユニットは、中央ユニット（Center/Central  Unit：ＣＵ）と呼ばれてもよく、上記第２のユニットは、分散ユニット（Distributed  Unit：ＤＵ）又はアクセスユニット（Access  Unit：ＡＵ）と呼ばれてもよい。別の例として、上記第１ユニットは、デジタルユニット（Digital  Unit：ＤＵ）と呼ばれてもよく、上記第２ユニットは、無線ユニット（Radio  Unit：ＲＵ）又はリモートユニット（Remote  Unit：ＲＵ）と呼ばれてもよい。上記ＤＵ（Digital  Unit）は、ＢＢＵ（Base  Band  Unit）であってもよく、上記ＲＵは、ＲＲＨ（Remote  Radio  Head）又はＲＲＵ（Remote  Radio  Unit）であってもよい。当然ながら、上記第１ユニット（又は第１のノード）及び上記第２ユニット（又は第２のノード）の呼称は、この例に限定されない。あるいは、基地局１００は、単一のユニット（又は単一のノード）であってもよい。
【００３７】
（２）基地局２００
基地局２００は、例えば、ＬＴＥ／ＬＴＥ−Ａｄｖａｎｃｅｄ及び／又はＳＡＥ（System  Architecture  Evolution）の規格／仕様（第２の無線アクセス技術）に準拠したｅＮＢである。なお、第２の無線アクセス技術は、第１の無線アクセス技術とは異なる（世代が異なる）。
【００３８】
基地局２００は、基地局１００と同様に、端末装置との無線通信を行うノードであり、セル２００−１内に位置する端末装置（例えば、端末装置３００）との無線通信を行う。
【００３９】
（３）端末装置３００
端末装置３００は、各基地局との無線通信を行う。例えば、端末装置３００は、セル１００−１内に位置する場合に、基地局１００との無線通信を行う。また、端末装置３００は、セル２００−１内に位置する場合に、基地局２００との無線通信を行う。端末装置３００は、ｇＮＢ及びｅＮＢの双方と無線通信することができる。
【００４０】
例えば端末装置３００の移動に起因して、基地局１００から基地局２００への端末装置３００のハンドオーバが行われる。この場合に、基地局１００は、上記ハンドオーバのソース基地局であり、基地局２００は、上記ハンドオーバのターゲット基地局である。
【００４１】
＜２．２．基地局１００の構成＞
次に、図３を参照して、第１の実施形態の基地局１００の構成の例を説明する。図３は、第１の実施形態の基地局１００の概略的な構成の例を示すブロック図である。図３に示すように、基地局１００は、無線通信部１１０、ネットワーク通信部１２０、記憶部１３０及び処理部１４０を備える。
【００４２】
（１）無線通信部１１０
無線通信部１１０は、信号を無線で送受信する。例えば、無線通信部１１０は、端末装置からの信号を受信し、端末装置への信号を送信する。
【００４３】
（２）ネットワーク通信部１２０
ネットワーク通信部１２０は、バックホールから信号を受信し、バックホールへ信号を送信する。
【００４４】
（３）記憶部１３０
記憶部１３０は、基地局１００の動作のためのプログラム及びパラメータ、並びに様々なデータを、一時的に又は恒久的に記憶する。当該プログラムは、基地局１００の動作のための１つ以上の命令を含む。
【００４５】
（４）処理部１４０
処理部１４０は、基地局１００の様々な機能を提供する。処理部１４０は、第１の通信処理部１４１、第２の通信処理部１４３、及び取得部１４５を含む。なお、処理部１４０は、これらの構成要素以外の他の構成要素をさらに含み得る。即ち、処理部１４０は、これらの構成要素の動作以外の動作も行い得る。第１の通信処理部１４１、第２の通信処理部１４３、及び取得部１４５の具体的な動作は、後に詳細に説明する。
【００４６】
例えば、処理部１４０（第１の通信処理部１４１）は、無線通信部１１０を介して端末装置（例えば、端末装置３００）と通信する。また、処理部１４０（第１の通信処理部１４１）は、例えば、第５世代（５Ｇ）／ＮＲ（New  Radio）の規格／仕様に従い通信処理を行う。また、処理部１４０（第２の通信処理部１４３）は、ネットワーク通信部１２０を介して他のネットワークノード（例えば、基地局２００）と通信する。
【００４７】
（５）実装例
無線通信部１１０は、アンテナ及び高周波（Radio  Frequency：ＲＦ）回路等により実装されてもよく、当該アンテナは、指向性アンテナであってもよい。ネットワーク通信部１２０は、ネットワークアダプタ又はネットワークインタフェースカード等により実装されてもよい。記憶部１３０は、メモリ（例えば、不揮発性メモリ及び／若しくは揮発性メモリ）並びに／又はハードディスク等により実装されてもよい。処理部１４０は、ベースバンド（Baseband：ＢＢ）プロセッサ及び／又は他のプロセッサ等により実装されてもよい。メモリ（記憶部１３０）は、処理部１４０のプロセッサ（チップ）内に含まれてもよい。
【００４８】
基地局１００は、プログラム（命令）を記憶するメモリと、当該プログラム（命令）を実行可能な１つ以上のプロセッサとを含んでもよい。当該１つ以上のプロセッサは、上記プログラムを実行して、処理部１４０の動作（第１の通信処理部１４１、第２の通信処理部１４３、及び取得部１４５の動作）を行ってもよい。上記プログラムは、処理部１４０の動作（第１の通信処理部１４１、第２の通信処理部１４３、及び取得部１４５の動作）をプロセッサに実行させるためのプログラムであってもよい。
【００４９】
なお、基地局１００は、仮想化されていてもよい。即ち、基地局１００は、仮想マシンとして実装されてもよい。この場合に、基地局１００（仮想マシン）は、プロセッサ及びメモリ等を含む物理マシン（ハードウェア）及びハイパーバイザ上で仮想マシンとして動作してもよい。
【００５０】
＜２．３．基地局２００の構成＞
次に、図４を参照して、第１の実施形態の基地局２００の構成の例を説明する。図４は、第１の実施形態の基地局２００の概略的な構成の例を示すブロック図である。図４に示すように、基地局２００は、無線通信部２１０、ネットワーク通信部２２０、記憶部２３０及び処理部２４０を備える。
【００５１】
（１）無線通信部２１０
無線通信部２１０は、信号を無線で送受信する。例えば、無線通信部２１０は、端末装置からの信号を受信し、端末装置への信号を送信する。
【００５２】
（２）ネットワーク通信部２２０
ネットワーク通信部２２０は、バックホールから信号を受信し、バックホールへ信号を送信する。
【００５３】
（３）記憶部２３０
記憶部２３０は、基地局２００の動作のためのプログラム及びパラメータ、並びに様々なデータを、一時的に又は恒久的に記憶する。当該プログラムは、基地局２００の動作のための１つ以上の命令を含む。
【００５４】
（４）処理部２４０
処理部２４０は、基地局２００の様々な機能を提供する。処理部２４０は、第１の通信処理部２４１、第２の通信処理部２４３、及び取得部２４５を含む。なお、処理部２４０は、これらの構成要素以外の他の構成要素をさらに含み得る。即ち、処理部２４０は、これらの構成要素の動作以外の動作も行い得る。第１の通信処理部２４１、第２の通信処理部２４３、及び取得部２４５の具体的な動作は、後に詳細に説明する。
【００５５】
例えば、処理部２４０（第１の通信処理部２４１）は、無線通信部２１０を介して端末装置（例えば、端末装置３００）と通信する。処理部２４０（第１の通信処理部２４１）は、例えば、ＬＴＥ／ＬＴＥ−Ａｄｖａｎｃｅｄ及び／又はＳＡＥ（System  Architecture  Evolution）の規格／仕様に従い通信処理を行う。また、処理部２４０（第２の通信処理部２４３）は、ネットワーク通信部２２０を介して他のネットワークノード（例えば、基地局１００）と通信する。
【００５６】
（５）実装例
無線通信部２１０は、アンテナ及び高周波（Radio  Frequency：ＲＦ）回路等により実装されてもよく、当該アンテナは、指向性アンテナであってもよい。ネットワーク通信部２２０は、ネットワークアダプタ又はネットワークインタフェースカード等により実装されてもよい。記憶部２３０は、メモリ（例えば、不揮発性メモリ及び／若しくは揮発性メモリ）並びに／又はハードディスク等により実装されてもよい。処理部２４０は、ベースバンド（Baseband：ＢＢ）プロセッサ及び／又は他のプロセッサ等により実装されてもよい。第１の通信処理部２４１、第２の通信処理部２４３、及び取得部２４５は、同一のプロセッサにより実装されてもよく、別々に異なるプロセッサにより実装されてもよい。メモリ（記憶部２３０）は、このようなプロセッサ（チップ）内に含まれてもよい。
【００５７】
基地局２００は、プログラム（命令）を記憶するメモリと、当該プログラム（命令）を実行可能な１つ以上のプロセッサとを含んでもよい。当該１つ以上のプロセッサは、上記プログラムを実行して、処理部２４０の動作（第１の通信処理部２４１、第２の通信処理部２４３、及び取得部２４５の動作）を行ってもよい。上記プログラムは、処理部２４０の動作（第１の通信処理部２４１、第２の通信処理部２４３、及び取得部２４５の動作）をプロセッサに実行させるためのプログラムであってもよい。
【００５８】
なお、基地局２００は、仮想化されていてもよい。即ち、基地局２００は、仮想マシンとして実装されてもよい。この場合に、基地局２００（仮想マシン）は、プロセッサ及びメモリ等を含む物理マシン（ハードウェア）及びハイパーバイザ上で仮想マシンとして動作してもよい。
【００５９】
＜２．４．端末装置３００の構成＞
次に、図５を参照して、第１の実施形態の端末装置３００の構成の例を説明する。図５は、第１の実施形態の端末装置３００の概略的な構成の例を示すブロック図である。図５を参照すると、端末装置３００は、無線通信部３１０、記憶部３２０及び処理部３３０を備える。
【００６０】
（１）無線通信部３１０
無線通信部３１０は、信号を無線で送受信する。例えば、無線通信部３１０は、基地局からの信号を受信し、基地局への信号を送信する。
【００６１】
（２）記憶部３２０
記憶部３２０は、端末装置３００の動作のためのプログラム及びパラメータ、並びに様々なデータを、一時的に又は恒久的に記憶する。
【００６２】
（３）処理部３３０
処理部３３０は、端末装置３００の様々な機能を提供する。処理部３３０は、受信処理部３３１及び送信処理部３３３を含む。なお、処理部３３０は、これらの構成要素以外の他の構成要素をさらに含み得る。即ち、処理部３３０は、これらの構成要素の動作以外の動作も行い得る。
【００６３】
例えば、処理部３３０（受信処理部３３１及び送信処理部３３３）は、無線通信部３１０を介して基地局（例えば、基地局１００、基地局２００、及び／又は基地局１０〜４０）と通信する。
【００６４】
（４）実装例
無線通信部３１０は、アンテナ及び高周波（ＲＦ）回路等により実装されてもよい。記憶部３２０は、メモリ（例えば、不揮発性メモリ及び／若しくは揮発性メモリ）並びに／又はハードディスク等により実装されてもよい。処理部３３０は、ベースバンド（ＢＢ）プロセッサ及び／又は他のプロセッサ等により実装されてもよい。受信処理部３３１及び送信処理部３３３は、同一のプロセッサにより実装されてもよく、別々に異なるプロセッサにより実装されてもよい。上記メモリ（記憶部３２０）は、このようなプロセッサ（チップ）内に含まれてもよく、又は、上記１つ以上のプロセッサ外にあってもよい。一例として、処理部３３０は、ＳｏＣ（System  on  Chip）内で実装されてもよい。
【００６５】
端末装置３００は、プログラム（命令）を記憶するメモリと、当該プログラム（命令）を実行可能な１つ以上のプロセッサとを含んでもよい。当該１つ以上のプロセッサは、上記プログラムを実行して、処理部３３０の動作（受信処理部３３１及び送信処理部３３３の動作）を行ってもよい。上記プログラムは、処理部３３０の動作（受信処理部３３１及び送信処理部３３３の動作）をプロセッサに実行させるためのプログラムであってもよい。
【００６６】
＜２．５．技術的特徴＞
次に、図６〜図１０を参照して、第１の実施形態の技術的特徴を説明する。
【００６７】
第１の実施形態では、基地局１００（第１の通信処理部１４１）は、第１の無線アクセス技術に従って端末装置（例えば端末装置３００）との間で通信を行う。そして、基地局１００（取得部１４５）は、基地局１００から他の基地局（例えば基地局１０、２０、３０、４０）へのハンドオーバの実績に関するハンドオーバ実績情報を取得する。そして、基地局１００（第２の通信処理部１４３）は、基地局１００から第２の無線アクセス技術に従った無線通信を行う基地局２００へ端末装置（例えば端末装置３００）がハンドオーバする場合に、上記ハンドオーバ実績情報を基地局２００へ送信する。
【００６８】
また、基地局２００（第１の通信処理部２４１）は、第２の無線アクセス技術に従って端末装置（例えば端末装置３００）との間で無線通信を行う。そして、基地局２００（取得部２４５）は、例えば、ネットワーク通信部２２０を用いることによりバックホールを介して、上記ハンドオーバ実績情報を取得する。そして、基地局２００（第２の通信処理部２４３）は、上記ハンドオーバ実績情報に基づいて、基地局１００から基地局２００へのハンドオーバを行う端末装置（例えば端末装置３００）のための通信処理を行う。
【００６９】
（１）ハンドオーバ実績情報
上記ハンドオーバ実績情報は、上述したように基地局１００から他の基地局（例えば基地局１０、２０、３０、４０）へのハンドオーバの実績に関する情報であって、例えば履歴情報として基地局１００（記憶部１３０）が記憶することにより保持される。この場合、取得部１４５は、記憶部１３０にアクセスすることにより、上記ハンドオーバ実績情報を取得する。なお、上記ハンドオーバ実績情報は、記憶部１３０により保持される場合に限らず、例えば基地局１００（取得部１４５）がアクセス可能な外部記憶装置などに保持されてもよい。
【００７０】
また、上記ハンドオーバ実績情報は、基地局１００からコアネットワークのノードを介して基地局２００へ送信されてもよい。すなわち、基地局１００（第２の通信処理部１４３）は、コアネットワークのノード（例えばＮＧＣＮ４００、及びＥＰＣ４５０など）を介して上記ハンドオーバ実績情報を基地局２００へ送信してもよい。この場合、基地局２００（第２の通信処理部２４３）が例えばコアネットワークのノード（例えばＥＰＣ４５０）から上記ハンドオーバ実績情報を受信することにより、取得部２４５は、上記ハンドオーバ実績情報を取得することができる。
【００７１】
−ハンドオーバの成功率
上記ハンドオーバ実績情報は、具体的に、ハンドオーバ先の基地局（例えば基地局１０、２０、３０、４０）毎のハンドオーバの成功率を示す情報を含む。図６に、ハンドオーバ実績情報の具体例を示す。基地局１００を例に説明すると、図６に示すように、ハンドオーバ実績情報は、端末装置が、基地局１００のセル１００−１から他の基地局（例えば基地局１０、２０、３０、及び４０）へハンドオーバしたときの成功率を示す情報を含む。
【００７２】
ここで、ハンドオーバの成功率とは、例えば、ハンドオーバを試みた回数の内ハンドオーバが成功した割合を示す。ハンドオーバが成功したかどうかの判断は、例えば、ハンドオーバ手順を実行したもののハンドオーバが完了しなかった場合にハンドオーバ失敗（不成功）と判断してもよいし、及び／又は、ハンドオーバしたものの予め定められた時間内に再度ハンドオーバが必要になったことによりハンドオーバ失敗（不成功）と判断してもよい。なお、これらの基準以外にも、予め定められた適宜の基準に基づいてハンドオーバが成功したか否かを判断し、成功率を求めてもよい。
【００７３】
ハンドオーバ実績情報は、上述したように記憶部（基地局１００の記憶部１３０）に記憶される。また、基地局１００（例えば、基地局１００の記憶部１３０）は、端末装置のハンドオーバ手順を実行した後に、ハンドオーバ実績情報を更新してもよい。また、基地局１００は、端末装置のハンドオーバ手順を実行した後に、ハンドオーバ実績情報を更新する更新処理部を備えてもよい。
【００７４】
なお、図２に示すように、セル１００−１はセル２０−１、セル３０−１、セル４０−１には内包されているが、セル１０−１とは境界部分が僅かに接しているに過ぎない。それゆえ、この例では、図６に示すようにセル２０−１（基地局２０）、セル３０−１（基地局３０）、セル４０−１（基地局４０）へのハンドオーバ成功率は９９％である一方で、セル１０−１（基地局１０）へのハンドオーバ成功率は７０％となっている。
【００７５】
なお、ハンドオーバ実績情報は、上述のハンドオーバ成功率に限らず、過去のハンドオーバに基づく履歴情報(history  information)又は過去のハンドオーバに基づく統計情報（statistical  information）でもよい。
【００７６】
−Application  Protocolのメッセージ
基地局１００（第２の通信処理部１４３）は、上記ハンドオーバ実績情報を含むApplication  Protocolのメッセージを基地局２００へ送信してもよい。具体的には、基地局１００（第２の通信処理部１４３）は、上記ハンドオーバ実績情報を含むRAN-INFORMATION  RIM  containerを上記Application  Protocolのメッセージに設定してもよい。
【００７７】
例えば、図７は、RAN-INFORMATION  RIM  containerに設定するSN  Addition  Container  IEの説明図である。例えば、図７に示すHandover  History  Informationに上述のハンドオーバ実績情報を含めることができる。
【００７８】
RAN-INFORMATION  RIM  containerは、例えば、3GPP  TS36.413  v14.4（非特許文献２）のS1AP:  ENB  DIRECT  INFORMATION  TRANSFERに相当するＮＧＡＰ（Next  Generation  Application  Protocol）のメッセージに設定されて送信されてもよい。図８に、DIRECT  INFORMATION  TRANSFERの例を示す。または、RAN-INFORMATION  RIM  containerは、例えば、3GPP  TS38.413  v0.5.0（非特許文献４）に定義されているNGAP:  HANDOVER  REQUIRED  messageのSource  to  Target  Transparent  Containerに設定されて送信されてもよい。
【００７９】
−ハンドオーバ実績情報に基づいた通信処理
上述したように、基地局２００（第２の通信処理部２４３）は、上記ハンドオーバ実績情報に基づいて、基地局１００から基地局２００へのハンドオーバを行う端末装置（例えば３００）のための通信処理を行う。
【００８０】
とりわけ、基地局２００が、デュアルコネクティビティにおけるMaster  eNB（ＭｅＮＢ）である場合、基地局２００（第２の通信処理部２４３）は、上記ハンドオーバ実績情報に基づいて、上記端末装置がデュアルコネクティビティにより通信を行うセカンダリ基地局を決定してもよい。
【００８１】
この場合、より具体的には、基地局２００（第２の通信処理部２４３）は、上記ハンドオーバ実績情報を参照し、ハンドオーバ成功率が予め定められた閾値以上の１以上の基地局の中から、上記セカンダリ基地局を決定してもよい。例えば上記閾値が８０パーセントの場合、上述した図６に示す例に当てはめると、基地局２０、基地局３０、及び基地局４０の中から上記セカンダリ基地局が決定されることになる。
【００８２】
（２）処理の流れ
図９を参照して、第１の実施形態に係る処理の例を説明する。図９は、第１の実施形態に係る処理の概略的な流れの例を説明するためのシーケンス図である。
【００８３】
ここでは、端末装置３００が、セル１００−１内に位置し、基地局１００とデータの送受信を行っている（Ｓ１０１）ものとして説明する。また、ハンドオーバ実績情報も既に記憶部１３０に記憶されているものとして説明する。ここで端末装置３００が移動する。端末装置３００の移動経路の例を図１０に示す。端末装置３００の移動によりセル２００−１の受信電力等が所定の条件を満たしたことを契機としてIntersystem  handoverを実行する（Ｓ１０３）。これにより、端末装置３００は基地局２００とデータの送受信が可能である。
【００８４】
ここで、基地局１００（取得部１４５）は、記憶部１３０からハンドオーバ実績情報を取得し、基地局１００（第２の通信処理部１４３）は、ハンドオーバ実績情報を基地局２００へ送信する（Ｓ１０５）。例えば、基地局１００（第２の通信処理部１４３）は、ハンドオーバ実績情報をSN  Addition  Container  IE（図７参照）に含める。また、基地局１００（第２の通信処理部１４３）は、SN  Addition  Container  IEをRAN-INFORMATION  RIM  containerに設定する。基地局１００（第２の通信処理部１４３）は、RAN-INFORMATION  RIM  containerを含むメッセージをＮＧＣＮ４００に送信する。
【００８５】
−RAN-INFORMATION  RIM  containerの第１の送信例
第１の送信例として、まず、図８に示すようにS1AP:  ENB  DIRECT  INFORMATION  TRANSFERに相当するＮＧＡＰのメッセージに上述のRAN-INFORMATION  RIM  containerを設定する。ここでRAN-INFORMATION  RIM  containerは上述のように、ハンドオーバ実績情報を含む。そして、3GPP  TS23.401  v15.1.0（非特許文献３）の「5.15  RAN  Information  Management  (RIM)  procedures」に相当する手順をＮ２６インタフェースを介して実行する。例えば、基地局１００（第２の通信処理部１４３）は、RAN-INFORMATION  RIM  containerを設定したメッセージをＮＧＣＮ４００に送信し、ＮＧＣＮ４００は該メッセージをＮ２６インタフェースを介してＥＰＣ４５０に転送し、ＥＰＣ４５０は該メッセージを基地局２００へ転送する。
【００８６】
−RAN-INFORMATION  RIM  containerの第２の送信例
第２の送信例として、3GPP  TS38.413  v0.5.0（非特許文献４）に定義されているNGAP:  HANDOVER  REQUIRED  messageのSource  to  Target  Transparent  ContainerにRAN-INFORMATION  RIM  containerを設定して送信する。Source  to  Target  Transparent  Containerは、例えば、ハンドオーバ元の基地局（ソース基地局）からハンドオーバ先の基地局（ターゲット基地局）へ無線関連情報を透過的に通知する情報要素（ＩＥ）である。この場合も、例えば、基地局１００（第２の通信処理部１４３）は、RAN-INFORMATION  RIM  containerを設定したNGAP:  HANDOVER  REQUIRED  messageをＮＧＣＮ４００に送信し、ＮＧＣＮ４００は該NGAP:  HANDOVER  REQUIRED  messageをＮ２６インタフェースを介してＥＰＣ４５０に転送し、ＥＰＣ４５０は該NGAP:  HANDOVER  REQUIRED  messageを基地局２００へ転送する。
【００８７】
基地局２００（取得部２４５）は、例えば第２の通信処理部２４３がハンドオーバ実績情報を含むメッセージを受信することにより、ハンドオーバ実績情報を取得する。Intersystem  handoverの完了後、基地局２００（第２の通信処理部２４３）は、デュアルコネクティビティを確立するか否かを決定する。例えば、基地局２００（第２の通信処理部２４３）は、端末装置３００のUE  Capability及びＲＳＲＰ（Reference  Signal  Received  Power）／ＲＳＲＱ（(Reference  Signal  Received  Quality）などの指標に加え、基地局１００から受信したハンドオーバ実績情報（ハンドオーバ成功率）を考慮して、デュアルコネクティビティを確立することを決定し、SeNB  Addition手順を実行する。SeNB  Addition手順では、ハンドオーバ実績情報（ハンドオーバ成功率）に基づきデュアルコネクティビティで追加するＳｅＮＢ（基地局）が決定される。例えば、ハンドオーバ実績情報によるとセル１０−１へのハンドオーバ成功率が低いため、基地局１０をSeNB  Additionの対象外となる。また、その他の指標を考慮して基地局２００がＸ２インタフェースを有する基地局（ＳｅＮＢ）２０、基地局（ＳｅＮＢ）３０、基地局（ＳｅＮＢ）４０のいずれかからSeNB  Additionの対象を決定する。その後、端末装置３００は、基地局（ＭｅＮＢ）２００及び追加した基地局（ＳｅＮＢ）と通信する。
【００８８】
なお、ハンドオーバ成功率に関して、基地局２００（第２の通信処理部２４３）は、ハンドオーバ成功率が予め定められた閾値以下の場合に、ハンドオーバ成功率が低いと判断してもよい。また、基地局２００(第２の通信処理部２４３)は、ハンドオーバ成功率が、セル毎のハンドオーバ成功率の中で相対的に低い(例えば平均以下)場合に、ハンドオーバ成功率が低いと判断してもよい。
【００８９】
上述の例では、ハンドオーバ成功率が低い基地局を対象外とし、その他の指標を考慮してSeNB  Additionの対象を決定したが、ハンドオーバ成功率が高い基地局をSeNB  Additionの対象と決定してもよいし、ハンドオーバ成功率とその他の指標とに基づく新たな指標を求めてSeNB  Additionの対象を決定してもよい（すなわち、ハンドオーバ成功率とその他の指標を総合的に考慮してもよい）。
【００９０】
本実施形態によると、例えば５ＧからＬＴＥへのintersystem  handover後に基地局（ＭｅＮＢ）２００がデュアルコネクティビティを確立した場合であっても、デュアルコネクティビティ解放、及びデュアルコネクティビティ再接続などが頻発することを防ぐことができる。これにより、ユーザー経験が低下すること、及びネットワークの処理負荷が増大することなどを防ぐことができる。
【００９１】
＜２．６．変形例＞
第１の実施形態では、ＥＰＣ４５０に接続している基地局を全てＬＴＥ基地局としたが、これらの一部が５Ｇ基地局であってもよい。ここで、3GPP  TS37.340  v2.0.0（非特許文献１）に記載されているE-UTRA-NR  Dual  Connectivity（以下、ＥＮ−ＤＣ）が実行可能な場合はｅＮＢがｇＮＢに対してSgNB  Addition手順を実行する際に、第１の実施形態を適用することができる。
【００９２】
また、第１の実施形態では基地局（ｇＮＢ）１００と基地局（ＭｅＮＢ）２００間にはインタフェースは確立されていない例を説明したが、基地局（ｇＮＢ）１００と基地局（ＭｅＮＢ）２００間のインタフェースが確立されている場合はこのインタフェースを介してハンドオーバ実績情報（ハンドオーバ成功率）を基地局１００から基地局２００へ送信してもよい。
【００９３】
さらに、第１の実施形態では、端末装置３００が、ＮＧＣＮ４００に接続する基地局（ｇＮＢ）１００からＥＰＣ４５０に接続する基地局（ＭｅＮＢ）２００へintersystem  handoverする例を説明したが、これとは逆に、ＥＰＣ４５０に接続する基地局（ＭｅＮＢ）２００からＮＣＧＮ４００に接続する基地局（ｇＮＢ）１００へintersystem  handoverする場合にも第１の実施形態を適用できる。
【００９４】
また、第１の実施形態では、５Ｇの基地局と４Ｇの基地局との間のintersystem  handoverを例に説明したが、これに限らず異なる世代の通信規格に従って動作する基地局間のintersystem  handoverについても同様に適用できる。例えば、３Ｇと４Ｇの間、２Ｇと４Ｇの間，２Ｇと３Ｇの間のintersystem  handoverについても同様に適用できる。
【００９５】
上述の例では、基地局２００は、ハンドオーバ実績情報に基づきSeNB  Addition手順の対象となる基地局（すなわち、デュアルコネクティビティで追加する基地局）を決定したが、これに限らず、ハンドオーバ実績情報に基づいてデュアルコネクティビティに関する適宜の処理を行ってもよい。また、デュアルコネクティビティ以外にも、スループットの向上、高速化、及び／又は大容量化のために、端末装置との通信に利用する基地局（セル）を追加する適宜の技術に適用してもよい。すなわち、ハンドオーバ実績情報に基づき、端末装置との通信に利用する追加基地局（セル）を決定（選択）するなど、端末装置のための通信処理を行うようにしてもよい。
【００９６】
＜＜３．第２の実施形態＞＞
続いて、図１１及び図１２を参照して、本発明の第２の実施形態を説明する。上述した第１の実施形態は、具体的な実施形態であるが、第２の実施形態は、より一般化された実施形態である。
【００９７】
＜３．１．システムの構成＞
第２の実施形態に係るシステムは、基地局５００及び基地局６００を含む。他の構成については、第１の実施形態と同様である。よって、ここでは重複する説明を省略する。
【００９８】
＜３．２．基地局５００の構成＞
次に、図１１を参照して、第２の実施形態の基地局５００の構成の例を説明する。図１１は、第２の実施形態の基地局５００の概略的な構成の例を示すブロック図である。図１１に示すように、基地局５００は、第１の通信処理部５１０、第２の通信処理部５２０、及び取得部５３０を備える。
【００９９】
第１の通信処理部５１０、第２の通信処理部５２０、及び取得部５３０の具体的な動作は、後に説明する。
【０１００】
第１の通信処理部５１０、第２の通信処理部５２０、及び取得部５３０は、ベースバンド（ＢＢ）プロセッサ及び／又は他のプロセッサ等により実装されてもよい。第１の通信処理部５１０、第２の通信処理部５２０及び取得部５３０は、同一のプロセッサにより実装されてもよく、別々に異なるプロセッサにより実装されてもよい。
【０１０１】
基地局５００は、プログラムを記憶するメモリと、当該プログラムを実行可能な１つ以上のプロセッサとを含んでもよく、当該１つ以上のプロセッサは、第１の通信処理部５１０、第２の通信処理部５２０、及び取得部５３０の動作を行ってもよい。上記プログラムは、第１の通信処理部５１０、第２の通信処理部５２０、及び取得部５３０の動作を上記１つ以上のプロセッサに実行させるためのプログラムであってもよい。
【０１０２】
＜３．３．基地局６００の構成＞
次に、図１２を参照して、第２の実施形態の基地局６００の構成の例を説明する。図１２は、第２の実施形態の基地局６００の概略的な構成の例を示すブロック図である。図１２に示すように、基地局６００は、第１の通信処理部６１０、第２の通信処理部６２０、及び取得部６３０を備える。
【０１０３】
第１の通信処理部６１０、第２の通信処理部６２０、及び取得部６３０の具体的な動作は、後に説明する。
【０１０４】
第１の通信処理部６１０、第２の通信処理部６２０、及び取得部６３０は、ベースバンド（ＢＢ）プロセッサ及び／又は他のプロセッサ等により実装されてもよい。第１の通信処理部６１０、第２の通信処理部６２０、及び取得部６３０は、同一のプロセッサにより実装されてもよく、別々に異なるプロセッサにより実装されてもよい。
【０１０５】
基地局６００は、プログラムを記憶するメモリと、当該プログラムを実行可能な１つ以上のプロセッサとを含んでもよく、当該１つ以上のプロセッサは、第１の通信処理部６１０、第２の通信処理部６２０、及び取得部６３０の動作を行ってもよい。上記プログラムは、第１の通信処理部６１０、第２の通信処理部６２０、及び取得部６３０の動作を上記１つ以上のプロセッサに実行させるためのプログラムであってもよい。
【０１０６】
＜３．４．技術的特徴＞
次に、第２の実施形態の技術的特徴を説明する。
【０１０７】
第２の実施形態では、基地局５００（第１の通信処理部５１０）は、第１の無線アクセス技術に従って端末装置との間で通信を行う。そして、基地局５００（取得部５３０）は、基地局５００から他の基地局へのハンドオーバの実績に関するハンドオーバ実績情報を取得する。そして、基地局５００（第２の通信処理部５２０）は、基地局５００から第２の無線アクセス技術に従った無線通信を行う基地局６００へ端末装置（例えば端末装置３００）がハンドオーバする場合に、上記ハンドオーバ実績情報を基地局６００へ送信する。
【０１０８】
なお、第１の通信処理部５１０は、第１の実施形態の第１の通信処理部１４１と同様に動作してもよく、第２の通信処理部５２０は、第１の実施形態の第２の通信処理部１４３と同様に動作してもよく、取得部５３０は、第１の実施形態の取得部１４５と同様に動作してもよい。
【０１０９】
また、基地局６００（第１の通信処理部６１０）は、第２の無線アクセス技術に従って端末装置との間で無線通信を行う。そして、基地局６００（取得部６３０）は、上記ハンドオーバ実績情報を取得する。そして、基地局６００（第２の通信処理部６２０）は、上記ハンドオーバ実績情報に基づいて、基地局５００から基地局６００へのハンドオーバを行う端末装置のための通信処理を行う。
【０１１０】
なお、第１の通信処理部６１０は、第１の実施形態の第１の通信処理部２４１と同様に動作してもよく、第２の通信処理部６２０は、第１の実施形態の第２の通信処理部２４３と同様に動作してもよく、取得部６３０は、第１の実施形態の取得部２４５と同様に動作してもよい。
【０１１１】
本実施形態によると、例えば異なるＲＡＴ間でのintersystem  handover後に基地局２００がデュアルコネクティビティを確立した場合であっても、デュアルコネクティビティ解放やデュアルコネクティビティ再接続が頻発することを防ぐことができる。これにより、ユーザー経験が低下したりネットワークの処理負荷を増大させることを防ぐことができる。なお、上述の第１の実施形態の各変形例を第２の実施形態に適用することも可能である。
【０１１２】
＜＜４．他の実施形態＞＞
以上、本発明の実施形態を説明したが、本発明はこれらの実施形態に限定されるものではない。これらの実施形態は例示にすぎないということ、及び、本発明のスコープ及び方針から逸脱することなく様々な変形が可能であるということは、当業者に理解されるであろう。
【０１１３】
例えば、本明細書に記載されている処理におけるステップは、必ずしもシーケンス図に記載された順序に沿って時系列に実行されなくてよい。例えば、処理におけるステップは、シーケンス図として記載した順序と異なる順序で実行されても、並列的に実行されてもよい。また、処理におけるステップの一部が削除されてもよく、さらなるステップが処理に追加されてもよい。
【０１１４】
また、本明細書において説明した基地局の構成要素（例えば、通信処理部、及び／又は取得部）を備える装置（例えば、基地局を構成する複数の装置（又はユニット）のうちの１つ以上の装置（又はユニット）、又は上記複数の装置（又はユニット）のうちの１つのためのモジュール）が提供されてもよい。本明細書において説明した端末装置の構成要素（例えば、受信処理部、及び／又は送信処理部）を備える装置（例えば、端末装置のためのモジュール）が提供されてもよい。また、上記構成要素の処理を含む方法が提供されてもよく、上記構成要素の処理をプロセッサに実行させるためのプログラム（又はプログラム媒体）が提供されてもよい。また、当該プログラムを記録したコンピュータに読み取り可能な非一時的記録媒体（Non-transitory  computer  readable  medium）が提供されてもよい。当然ながら、このような装置、モジュール、方法、プログラム、及びコンピュータに読み取り可能な非一時的記録媒体も本発明に含まれる。
【０１１５】
上記実施形態の一部又は全部は、以下の付記のようにも記載され得るが、以下には限られない。
【０１１６】
（付記１）
第１の基地局であって、
第１の無線アクセス技術に従って端末装置との間で通信を行う第１の通信処理部と、
当該第１の基地局から他の基地局へのハンドオーバの実績に関するハンドオーバ実績情報を取得する取得部と、
当該第１の基地局から第２の無線アクセス技術に従った通信を行う第２の基地局へ端末装置がハンドオーバする場合に、前記ハンドオーバ実績情報を前記第２の基地局へ送信する第２の通信処理部と、を備える第１の基地局。
【０１１７】
（付記２）
前記ハンドオーバ実績情報は、ハンドオーバ先の基地局毎のハンドオーバの成功率を示す情報を含む付記１に記載の第１の基地局。
【０１１８】
（付記３）
前記第２の通信処理部は、前記ハンドオーバ実績情報を含むApplication  Protocolのメッセージを前記第２の基地局へ送信する付記１又は２に記載の第１の基地局。
【０１１９】
（付記４）
前記第２の通信処理部は、前記ハンドオーバ実績情報を含むRAN-INFORMATION  RIM  containerを前記Application  Protocolのメッセージに設定して、該Application  Protocolのメッセージを前記第２の基地局へ送信する付記３に記載の第１の基地局。
【０１２０】
（付記５）
前記第２の通信処理部は、前記ハンドオーバ実績情報を含むSN  Addition  Container  IEを前記RAN-INFORMATION  RIM  containerに含め、該RAN-INFORMATION  RIM  containerを前記Application  Protocolのメッセージに設定して、該Application  Protocolのメッセージを前記第２の基地局へ送信する付記４に記載の第１の基地局。
【０１２１】
（付記６）
前記第２の通信処理部は、コアネットワークのノードを介して前記ハンドオーバ実績情報を前記第２の基地局へ送信する付記１乃至５のいずれかに記載の第１の基地局。
【０１２２】
（付記７）
第２の基地局であって、
第２の無線アクセス技術に従って端末装置との間で通信を行う第１の通信処理部と、
第１の無線アクセス技術に従った通信を行う第１の基地局から他の基地局へのハンドオーバの実績に関するハンドオーバ実績情報を取得する取得部と、
前記ハンドオーバ実績情報に基づいて、前記第１の基地局から当該第２の基地局へのハンドオーバを行う端末装置のための通信処理を行う通信処理部と、を備える第２の基地局。
【０１２３】
（付記８）
前記第２の通信処理部は、前記ハンドオーバ実績情報に基づいて、前記第１の基地局から当該第２の基地局へのハンドオーバを行う端末装置がデュアルコネクティビティにより通信を行うセカンダリ基地局を決定する付記７記載の第２の基地局。
【０１２４】
（付記９）
前記ハンドオーバ実績情報は、ハンドオーバ先の基地局毎のハンドオーバの成功率を示す情報を含む付記７又は８に記載の第２の基地局。
【０１２５】
（付記１０）
前記第２の通信処理部は、前記ハンドオーバ実績情報を参照し、ハンドオーバ成功率が予め定められた閾値以上の１以上の基地局の中から、前記セカンダリ基地局を決定する付記９に記載の第２の基地局。
【０１２６】
（付記１１）
当該第２の基地局は、デュアルコネクティビティにおけるMaster  eNB（ＭｅＮＢ）である付記９又は１０に記載の第２の基地局。
【０１２７】
（付記１２）
第１の無線アクセス技術に従って端末装置との間で通信を行う第１の基地局から他の基地局へのハンドオーバの実績に関するハンドオーバ実績情報を取得することと、
前記第１の基地局から第２の無線アクセス技術に従った通信を行う第２の基地局へ端末装置がハンドオーバする場合に、前記ハンドオーバ実績情報を前記第２の基地局へ送信することと、を含む方法。
【０１２８】
（付記１３）
第１の無線アクセス技術に従って端末装置との間で通信を行う第１の基地局から他の基地局へのハンドオーバの実績を示すハンドオーバ実績情報を取得することと、
前記ハンドオーバ実績情報に基づいて、前記第１の基地局から第２の無線アクセス技術に従って通信を行う第２の基地局へのハンドオーバを行う端末装置のための通信処理を行うことと、を含む方法。
【０１２９】
（付記１４）
第１の無線アクセス技術に従って端末装置との間で通信を行う第１の基地局と、
第２の無線アクセス技術に従って端末装置との間で通信を行う第２の基地局と、
を備え、
前記第１の基地局は、
前記第１の基地局から他の基地局へのハンドオーバの実績を示すハンドオーバ実績情報を取得する取得部と、
前記第１の基地局から前記第２の基地局へ端末装置がハンドオーバする場合に、前記ハンドオーバ実績情報を前記第２の基地局へ送信する通信処理部と、
を有し、
前記第２の基地局は、
前記ハンドオーバ実績情報を取得する取得部と、
前記ハンドオーバ実績情報に基づいて、前記第１の基地局から当該第２の基地局へのハンドオーバを行う端末装置のための通信処理を行う通信処理部と、
を有するシステム。
【０１３０】
（付記１５）
第１の無線アクセス技術に従って端末装置との間で通信を行う第１の基地局から他の基地局へのハンドオーバの実績に関するハンドオーバ実績情報を取得することと、
前記第１の基地局から第２の無線アクセス技術に従った通信を行う第２の基地局へ端末装置がハンドオーバする場合に、前記ハンドオーバ実績情報を前記第２の基地局へ送信することと、
をプロセッサに実行させるためのプログラム。
【０１３１】
（付記１６）
第１の無線アクセス技術に従って端末装置との間で通信を行う第１の基地局から他の基地局へのハンドオーバの実績を示すハンドオーバ実績情報を取得することと、
前記ハンドオーバ実績情報に基づいて、前記第１の基地局から第２の無線アクセス技術に従って通信を行う第２の基地局へのハンドオーバを行う端末装置のための通信処理を行うことと、
をプロセッサに実行させるためのプログラム。
【０１３２】
（付記１７）
第１の無線アクセス技術に従って端末装置との間で通信を行う第１の基地局から他の基地局へのハンドオーバの実績に関するハンドオーバ実績情報を取得することと、
前記第１の基地局から第２の無線アクセス技術に従った通信を行う第２の基地局へ端末装置がハンドオーバする場合に、前記ハンドオーバ実績情報を前記第２の基地局へ送信することと、
をプロセッサに実行させるためのプログラムを記録したコンピュータ読み取り可能な記録媒体。
【０１３３】
（付記１８）
第１の無線アクセス技術に従って端末装置との間で通信を行う第１の基地局から他の基地局へのハンドオーバの実績を示すハンドオーバ実績情報を取得することと、
前記ハンドオーバ実績情報に基づいて、前記第１の基地局から第２の無線アクセス技術に従って通信を行う第２の基地局へのハンドオーバを行う端末装置のための通信処理を行うことと、
をプロセッサに実行させるためのプログラムを記録したコンピュータ読み取り可能な記録媒体。
【産業上の利用可能性】
【０１３４】
本発明は、例えば、ハンドオーバ後にデュアルコネクティビティを確立する際に、セカンダリ基地局を適切に選択することが可能となる。
【符号の説明】
【０１３５】
１  システム
１０、２０、３０、４０  基地局（ＳｅＮＢ）
１００、５００  基地局（ｇＮＢ）
２００、６００  基地局（ＭｅＭＢ）
３００  端末装置
４００  ＮＧＣＮ
４５０  ＥＰＣ
１４１、２４１、５１０、６１０  第１の通信処理部
１４３、２４３、５２０、６２０  第２の通信処理部
１４５、２４５、５３０、６３０  取得部
【図１】
2019161529.tif 000003
【図２】
2019161529.tif 000004
【図３】
2019161529.tif 000005
【図４】
2019161529.tif 000006
【図５】
2019161529.tif 000007
【図６】
2019161529.tif 000008
【図７】
2019161529.tif 000009
【図８】
2019161529.tif 000010
【図９】
2019161529.tif 000011
【図１０】
2019161529.tif 000012
【図１１】
2019161529.tif 000013
【図１２】
2019161529.tif 000014
【図１３】
2019161529.tif 000015
【図１４】
2019161529.tif 000016